Podtech/llm-jp-corpus-v4-ja_patent huggingface dataset:
(57)【要約】      （修正有）【課題】汚水の飛沫（シブキ）が、作業者の顔や、衣服、トイレの周りに飛び散ることのない清潔用具を提供。【解決手段】そこで、便座の上に盲目蓋１を置いた形で、その蓋に１０の柄の通り溝を設けた物で、片足で蓋を押さえて、両手で柄を持って、強く数回押せば詰まりは解消する。【選択図】図１
0003129357.tif 000002
【実用新案登録請求の範囲】
【請求項１】
水洗トイレの詰まりを解消する時に、便座の上に盲目蓋を置いた形で、その蓋に市販のゴム製吸盤の、柄の通り溝を設けた、作業者の身を汚水から清潔に守る作業用具。
【考案の詳細な説明】
【技術分野】
【０００１】本考案は、トイレ詰まり解消作業時に、汚水から清潔に身を守る用具に関する。
【背景技術】
【０００２】従来、トイレ詰まり解消作業には、柄の先にゴム製の吸盤の付いた器具だけで行っていた。
【考案の開示】
【考案が解決しようとする課題】
【０００３】しかし、器具を軽く操作しただけでは、詰まりは解消しない。
強く操作すると、汚水の飛沫（シブキ）が、作業者の顔や衣服、トイレの周りに飛び散る。
【課題を解決するための手段】
【０００４】そこで便座の上に、目隠し蓋を置いた形で、その蓋に柄の通り溝を設けた物で、片足で蓋を押さえて、両手で柄を持って強く押せば良い。
【考案の効果】
【０００５】よって、本考案の蓋を使用する事により、汚物を見ずに詰まり解消が出来る。柄を強く押しても、シブキが外に飛び散ったり、柄の溝から上がって来ることもない。なぜなら柄を強く突いた時、シブキは両サイドへ飛び散るからである。これで、清潔な作業が出来る。
【考案を実施するための最良の形態】
【０００６】本考案に使用する蓋の大きさは、便座の大きさに分かれる。
洋式、和式、小学校用、幼児用に大別する必要がある。
【図面の簡単な説明】
【０００７】
【図１】  本考案による蓋を使った、詰まり取り作業要領図である。
【図２】  考案の蓋と市販の詰まり取りの組合せ図である。
【図３】  考案の蓋の表面と、市販の詰まり取り図である。
【図４】  考案の蓋の裏面の図である。
【符号の説明】
【０００８】  １    蓋
２    取手
３    横ずれ防止版
４    クッション状パッキン（幅３０ｍｍ、厚み１０ｍｍ）
１０    市販の詰まり取り
【図１】
0003129357.tif 000003
【図２】
0003129357.tif 000004
【図３】
0003129357.tif 000005
【図４】
0003129357.tif 000006
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
従来、水洗トイレの詰まりを解消するには、いきなり柄付のゴム製の吸盤で突くしかなかった。そこで作業者の身を汚水から守る、作業用具を考案した。
洋式、和式それぞれの形に合わせたカバー状の盲目蓋を作り、その蓋に、ゴム製吸盤の柄の部分が通る溝を設けた。
この考案の溝付盲目蓋と、ゴム製吸盤の組合せにより、清潔に作業が出来る。
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
水洗トイレの詰まりを解消する用具であって、
（１）洋式トイレの便座の大きさに対応させたカバー状の盲目蓋、
（２）その蓋に設けられた、ゴム製吸盤の柄が通る溝、
以上からなるトイレ詰まり解消の清潔用具。
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
水洗トイレの詰まりを解消する用具であって、
（１）洋式トイレの便座の大きさに対応させたカバー状の盲目蓋、
（２）その盲目蓋に設けられた、ゴム製吸盤が付いた詰まり取りの柄が通る溝、
以上からなる構造でトイレ詰まり解消の清潔用具。
(57)【要約】【課題】  既存の遠近両用眼鏡は遠視鏡部が大きく遠方は広く良く見えて一般的に外出,歩行用に適しているが、手元を見る為の老視鏡は、遠視鏡玉の下部のやや内よりに小さくある為に視野が狭くパソコン、手工芸等手元を広く見易さを望む手仕事には不向きな眼鏡でこの欠点を解決する為の眼鏡である。【解決手段】  本考案は老視鏡２を母体として成り、母体の老視鏡２の上部に遠視鏡３を横細長に配した仕事用遠近両用眼鏡にして、老視鏡２を母体としたことで既存の遠近両用眼鏡と比べて、手元の広い視野としたが、あまり使われない老視鏡上部の淵に横細長の遠視鏡３を設置した、その遠視鏡３の割合を眼鏡玉１の縦方向の長さの４０％以内としたことを特徴とした仕事用遠近両用眼鏡である。【選択図】図１
0003129248.tif 000002
【実用新案登録請求の範囲】
【請求項１】
個人の目に合わせた眼鏡玉1は、老視鏡２と遠視鏡３からなる遠近両用眼鏡において老視鏡２を母体として成り、あまり使われない老視鏡2の上部の淵に沿って横細長に遠視鏡３を配したことを特徴とした仕事用遠近両用眼鏡。
【請求項２】
形にとらわれない眼鏡玉１の縦方向の長さの40％以内とする遠視鏡３の割合とした事を特徴とする請求項1に記載の仕事用遠近両用眼鏡。
【請求項３】
老視鏡２遠視鏡３の境線４は直線、もしくは直線に近い上がり、下がりの弧でも良い、請求項1,２に記載の仕事用遠近両用眼鏡。
【考案の詳細な説明】
【技術分野】
【０００１】
本考案は既存の遠近両用眼鏡使用時の不便を解消することに関するものである。
【背景技術】
【０００２】
既存の遠近両用眼鏡を使用し、パソコンの仕事をする時に、遠方は広く大きく見えるが、必要とする手元を視る老視鏡部が非常に小さく、頭を上下左右に大きく動かさないと原稿、パソコン画面、キーボード等、素早く見ることに非常に目の疲れと疲労感を感じ、長時間の使用には耐えられない。
【特許文献１】特開２００１−１７４７６１号広報
【考案の開示】
【考案が解決しようとする課題】
【０００３】
パソコン、手芸、絵画等を勉強する時の眼鏡は、手元を広く確実に安定して良く見えることが最も重要な条件である。既存の遠近両用眼鏡は遠視鏡が大きく、肝心の手元を視る老視鏡が極端に小さい為に頭を上下左右に大きく動かさないと原稿、画面、キーボード等を見ることは困難である。そこで現在は老視鏡を使ってパソコンの勉強をしているが、パソコン教室等では、キーボードの打ち込みや筆記には良いが、講師の顔や黒板に書かれた文字は全くぼやけて読みにくい。したがって遠視の眼鏡に掛け替えなければ読み取り、確認が出来にくい。これらの不便と欠点を解消することを目的としたものである。
【課題を解決するための手段】
【０００４】
個人の目に合わせた眼鏡玉の下部に老視鏡、上部の遠視鏡からなる遠近両用眼鏡において老視鏡を母体として成り、あまり使われない老視鏡の上部の淵に沿って横細長に遠視鏡を配したことを特徴とした仕事用遠近両用眼鏡で形にとらわれない眼鏡玉の縦方向の長さの40％以内とする遠視鏡の割合とし、遠視,老視の境線は直線もしくは直線に近い上がり、下がりの弧でも良い事を特徴とした仕事用遠近両用眼鏡。
【考案の効果】
【０００５】
本考案の仕事用遠近両用眼鏡は老視鏡が主体となり、遠視鏡は横細長に老視鏡の上部の淵に従として配置した、本考案は名称の如く、仕事の為の遠近両用眼鏡にして勉強、パソコン、手工芸、絵画など、手元の仕事は手元が広く良く見る為に老視鏡を母体としたことで,パソコンの勉強も首や頭を大きく動かさなくとも手元が広範囲に目が届くようになり、老視鏡から遠視鏡への眼鏡にそのつど掛け替えることなく、離れた所の物を確認するのには老視鏡の上部の淵に縦方向40％以内の遠視鏡を横細長に配した事で老視鏡の視野を妨げない使いやすい仕事用遠近両用眼鏡となった。
【実施例】
【０００６】
以下、添付図１にしたがって実施例を説明する。1は眼鏡玉本体である、2はやや下目で手元を見るための老視鏡部である、3はやや上目で遠くを見る時に使う遠視鏡部である、4は眼鏡玉の縦方向の上部40％以内にできる老視鏡２と、遠視鏡３との境目となる線である、この線は老視鏡２の視野が広いので手元の仕事の邪魔になるものではない。眼鏡玉の縦方向40％の線は仕事の関係と、その人の好みで位置が決められる、この境線４を３０％に狭めて実施しても、５ｍ離れた人体の全体像が確認できる視野があり非常に有効に使うことのできる仕事用遠近両用眼鏡である。
【図面の簡単な説明】
【０００７】
【図１】本考案の老視鏡部、遠視鏡部の分離線を入れた正面図である。
【符号の説明】
【０００８】
１  遠近両用眼鏡玉本体
２  老視鏡部
３  遠視鏡部
４  老視鏡、遠視鏡の境線
【図１】
0003129248.tif 000003
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
個人の目に合わせた眼鏡玉１は、老視鏡２と遠視鏡３からなる遠近両用眼鏡において老視鏡２を母体として成り、あまり使われない老視鏡２の上部の淵に沿って横細長に遠視鏡３を配したことを特徴とした仕事用遠近両用眼鏡。
【請求項２】
形にとらわれない眼鏡玉１の縦方向の長さの４０％以内とする遠視鏡３の割合とした事を特徴とする請求項１に記載の仕事用遠近両用眼鏡
【請求項３】
老視鏡２と遠視鏡３との境線４は、直線、もしくは直線に近い上がり、下がりの弧とした、請求項１または２記載の仕事用遠近両用眼鏡。
(57)【要約】   【課題】  本考案は、片手によりワンタッチで着脱が出来る遠近両用メガネ焦点調整具を提供する事により簡単に、かつ確実に焦点を合わせる事が可能な様にし、目・鼻への負担軽減を計り、楽な作業姿勢が取れる様にする。【解決手段】  鼻あて帯から上方に伸びている支持体の上端部に備えたつかみ部にて、遠近両用メガネフレームのブリッジ部をつかむ様に固定した後、持ち上げながら鼻あて帯を鼻の上に固定する。これにより、メガネ自体が上方に持ち上がり近方視側レンズに容易に焦点を合わせる事が可能となって問題点を解決している。  【選択図】  図４
0003129245.tif 000002
【実用新案登録請求の範囲】
【請求項１】
鼻あて帯と、メガネフレームのブリッジ部を下側から上方に向かって押し上げるための支持体と前記支持体の上端部に設けられたメガネフレームのブリッジ部をつかむ為のつかみ部を備える着脱式の遠近両用メガネ焦点調節具。    
【請求項２】
前記鼻あて帯は、鼻の上に固定される山形状をしている請求項１記載の着脱式の
遠近両用メガネ焦点調節具。    
【請求項３】
前記支持体が、弾性体からなる請求項１または２記載の着脱式の遠近両用メガネ焦
点調節具。
【考案の詳細な説明】
【技術分野】
【０００１】
本考案は、メガネフレームのブリッジ部分を上方に向かって押し上げるタイプの着脱式遠近両用メガネ焦点調節具である。
【背景技術】
【０００２】
遠近両用メガネを装着しての近方視の際、あごを前に出しながら見たり、手でメガネを持ち上げながら見たりしている。
【特許文献１】特開２００１−３３７３９
【考案の開示】
【考案が解決しようとする課題】
【０００３】
前述の様に近方視の際、メガネを持ち上げたりする煩わしさがあったり、無理な姿勢の為目にも負担がかかっている。また、それらの事から字の読み書き、手作業及び
パソコン操作等の作業効率も悪くなっている。従って、本考案の着脱式遠近両用メガネ焦点調節具を用いる事により楽な姿勢での作業を可能にする事によって、これらの課題を解決しようとするものである。
【課題を解決するための手段】
【０００４】
山形状の鼻あて帯から上方に伸びている、弾性体からなる支持体の上端部に備えたつかみ部にて、遠近両用メガネフレームのブリッジ部をつかむ様に固定した後、持ち上げながら鼻あて帯を鼻の上に固定する。これにより、メガネ自体が上方に持ち上がり近方視側レンズに容易に焦点を合わせる事が可能となって問題点を解決している。
【考案の効果】
【０００５】
上述の様に従来の技術に比べ本考案は、焦点を合わせる為の調整の際メガネを取り外す必要が無く、片手によりワンタッチで着脱が出来る為、遠近両用共に焦点を合わせる事が極めて簡単である。また、構成素材が少なく形状と共に極力簡素化していることも特徴である。また、つかみ部には急な顔の表情の変化にも容易に落下せず、確実に保持する効果がある。
【考案を実施するための最良の形態】
【０００６】
メガネフレームのブリッジ部を持ち上げるための支持体は、例えば鼻あて帯と同素材のシリコン樹脂、あるいは別の素材、例えばピアノ線も使用出来るが、素材そのものやブリッジ部までの形状、及び支持体が鼻あて帯のどの部位にあるものかを特に限定するものではない。一例として、支持体に既記したピアノ線を用い、鼻あて帯の周囲に施した方が保持力を高め鼻の上へ安定させつつ、負担を軽減して確実に焦点を合わせるために、より望ましい。また、支持体の上端部には、一例としてクリップを用いたつかみ部を備える。
【実施例】
【０００７】
以下、添付書類に従って一例として支持体１にピアノ線、その上端部にあるつかみ部３にクリップを用いた場合の実施例を説明する。まず、メガネフレームのブリッジ部４をつかみ部３によりつかむ様に固定する。次に、メガネ自体を上方へ持ち上げた後山型の形状をした、例としてシリコン樹脂でできた鼻当て帯２を鼻の上に乗せ固定する。その後、上下に調整して近方視点に焦点を合わせる。取り外す場合は、逆の手順で鼻あて帯２を鼻から離した後、支持体１の上端部にあるつかみ部３をフレームのブリッジ部４から引き離す。
【図面の簡単な説明】
【０００８】
【図１】本考案である着脱式遠近両用メガネ焦点調整具の右側面図である。
【図２】左側面図である。
【図３】上（底）面図である。
【図４】支持体の先につかみ部を備えた実際の使用図を示す。
【符号の説明】
【０００９】
１  支持体
２  鼻あて帯
３  つかみ部
４  ブリッジ部
【図１】
0003129245.tif 000003
【図２】
0003129245.tif 000004
【図３】
0003129245.tif 000005
【図４】
0003129245.tif 000006
(57)【要約】【課題】本考案は歯ブラシ本体の一部所の頭部ブラシ部を、自在に簡単手動で方向角度変更することのできる首棒軸部自在曲げ所を、当該歯ブラシ本体の首部所に設け、これにより歯の裏側の歯茎境又は歯立ち方向などを、思うがままに磨けることを可能とする。【解決手段】本考案の歯ブラシ本体５の首部に、大人が歯を磨くための圧力程度では変化しない硬度であって、児童が両手を使い曲げ様とすると曲がる硬度である、適度な金属質のみの棒状である首棒軸部自在曲げ所２を設け、その両側端２ａと２ｂに合成樹脂等適宜素材から成る柄部棒軸１と植毛ブラシ部４付頭部軸３が緊密接合して歯ブラシ本体５を形成した、この構成は歯磨きにおいて前述の首棒軸部自在曲げ所２を手動にて自由に複数箇所等曲げることができ、歯の裏側の至る所でブラシ部頭部軸３のみの角度方向を変えられることとなり思い通りに磨けることは歯槽膿漏及び虫歯の予防に役立つ。【選択図】図１
0003129242.tif 000002
【実用新案登録請求の範囲】
【請求項１】
歯ブラシの基本体である棒軸、その棒状長さを複数部門に分けた一部門所の首部に該当する所のみに、当該用途に適用する適度の手動で曲げられる度合いの硬度の金属質のみの棒状の首棒軸部を設け、この設けた両端側に適当材料から成る植毛ブラシ部の母体である頭部軸と柄部棒軸の両部門のそれぞれの一端とを緊密接合にて一体形成と成る当該歯ブラシは、前述の頭部軸と成る植毛ブラシ部この部門を歯磨き時、歯に対して多方向の角度へ自在に手動で変更可能としたその曲げ所の効果に、上述の適当な硬度の金属質棒状の首棒軸部を設けたことを特徴とする自在首曲げ歯ブラシ。
【考案の詳細な説明】
【技術分野】
【０００１】  本考案は、首棒軸部に適当な硬度の金属質のみの棒状形状製品を、用いた歯ブラシに関するものである。
【背景技術】
【０００２】  人、日常生活の中で食事後等虫歯等予防のため歯を磨く習慣があり、歯ブラシ本体の全棒状がほぼ直線固形状の歯ブラシで、歯の至る所を磨いていた。
【考案の開示】
【考案が解決しようとする課題】
【０００３】  歯磨きは人の前面側の歯は、歯ブラシで思うどの方向にでも快適に磨けるが、裏側面の歯は場所ごとに歯ブラシ本体の向きを様様な方向に換えても歯茎と平行及び直角真方向に磨くことがなかなかできない、この原因は従来の歯ブラシ本体軸棒がほぼ直線固形状に造られてあるからである。従って歯ブラシ本体中の首棒軸部のみの間を複数箇所曲げる曲げ戻す事ができることにより、歯のいかなる箇所でも磨く方向は自在に可能となり、前述の欠点を解決しようとするものである。
【課題を解決するための手段】
【０００４】  本考案は、歯ブラシ本体の棒軸中の首部に該当する所のみを、適当な硬度の金属質のみの棒状で首棒軸部を造り、当該首棒軸部の両端側に、従来の歯ブラシに用いられている材質による柄部及び頭部（植毛挿入軸部）と同じ物である柄部及び頭部を造り、それぞれの軸端を上述の首棒軸の両端に緊密接合造りとすることにより一体の形成となる、当該歯ブラシ本体の性質は、人が歯を磨くための圧力程度では首棒軸の現形は変化しない硬度であって、児童が両手を使って曲げると角度変更できる硬度である、この硬度の金属質のみで造られる首棒軸部を、手動操作することにより頭部軸から成る植毛ブラシ部の方向角度を、自由自在に変えながら歯磨きをする、ことを可能としたことにより問題を解決している。
【考案の効果】
【０００５】  上述のように、本考案の自在首曲げ歯ブラシは、一直線状棒軸形状の本体原形体形で歯を磨けることは勿論であり、首部に設けた首棒軸部を簡単な手動操作することにより、歯裏側面から奥歯に対し磨きたい方向へ植毛ブラシ部の角度を自在に変更して、確実の狙いの歯磨きができる、ことにより煩わしさをはらう快適な虫歯及び歯槽膿漏の予防として役立つ。
【考案を実施するための最良の形態】
【０００６】  歯ブラシ本体は棒軸直線が原形基本体であり、この中の一部の首部、即ち首棒軸部を言いここのみを手動で自在に曲げることができることを特有とするものである、ゆえからこの首棒軸部を意図にて変形するその前の姿態の歯ブラシ本体をあえて歯ブラシ原形基本体と称する。当該歯ブラシ原形基本体である棒軸の構成は、植毛歯ブラシ部が同体となっている頭部軸、この一端の隣に首棒軸部自在曲げ所が続き、この方側端隣に柄部棒軸が連続しそれぞれが緊密接合により一体となる構成。材質は首棒軸部以外は合成樹脂等で成り、首棒軸部は目的用途に適用の硬度の金属棒状を用い、その両端の適度端量を他の部門のそれぞれの端断面体内へ潜めこませた、長期的にわたる人の歯磨き時の圧力で機能を失わせないように緊密接合の固着である、前述の如くの材質により首棒軸部自在曲げ所を思うがままに曲げられるようにしたことにより、植毛ブラシ部体を自在の方向角度に変えながらあらゆる歯のあらゆる窪み所の歯磨きができることとなる。
【実施例】
【０００７】  以下、添付図面に従って一実施例を説明する。１の柄部棒軸と３の頭部軸及び４の植毛ブラシ部は合成樹脂等適宜素材にて形成される、但し植毛ブラシ部のみは動物毛等を用いる場合もある。２の首棒軸部自在曲げ所は、児童程度が両手を使って曲げると曲がり、大人が歯を磨くための圧力程度では変形しない適度な硬度の金属質のみの棒状で、当然人の口中に入れても無害の金属で形成される。５は上記を構成したもの、即ち植毛ブラシ部４の全ブラシが差し込み固着にて内面で一体となる頭部軸３、その片方側端２ａに首棒軸部自在曲げ所２の片方側端２ａが適度一部入り込みにての緊密接合となり、当該２の他方一方側端２ｂ適度端長さが柄部棒軸１の片方側端２ｂに入り込みによる緊密接合として、一体形成と成る歯ブラシ本体の原形姿。【０００８】  本考案の一実施例は上述の如き構成からなるものであるから、歯ブラシ本体原形５のまま柄部棒軸１を手で握り歯磨きを行うと従来の歯ブラシとなんら変わらない効果であるのは勿論であるが、首棒軸部自在曲げ所２は左右両手を用い手動にて曲げる或は複数所曲げることができ結果植毛ブラシ部４の方向角度を歯を磨き中に磨きたい向きにいっでも簡単に変更変更を行う操作ができる。
【図面の簡単な説明】
【０００９】
【図１】本考案の自在首曲げ歯ブラシの実施例を示す側面図である。
【図２】本自在首曲げ歯ブラシの外裏面図である。
【符号の説明】
【００１０】１  柄部棒軸
２  首棒軸部自在曲げ所
３  頭部軸
４  植毛ブラシ部
５  歯ブラシ本体原形
【図１】
0003129242.tif 000003
【図２】
0003129242.tif 000004
(57)【要約】【課題】安全ベストを幼児に着せて、２本のベルトを利用し幼児を椅子に固定したり、椅子の上に座った大人の体に固定したりして幼児の重心が不安定であるために転げ落ちてしまうことを防ぐ、安全ベストの提供。【解決手段】本考案の安全ベストは、ベストと、このベストの両側にそれぞれ接続された２本のベルトを含み、これら２本のベルトの自由端近くの表面上に相互に対応して粘着させることができる面ファスナーが設けられ、これにより、安全ベストを幼児に着せて２本のベルトで幼児を椅子に固定したり、椅子の上に座った大人の体に固定したりすることができ、幼児の重心が不安定なために転げ落ちてしまうのを防ぐ。【選択図】図１
0003129300.tif 000002
【実用新案登録請求の範囲】
【請求項１】
安全ベストであって、ベストと、前記ベストの両側にそれぞれ接続された２本のベルトを含み、そのうち、前記ベストは片面上に人体に着せるための開口を備え、前記開口の相互に対応する辺上に相互に対応して粘着される小面ファスナーが設けられ、前記２本のベルトは、その自由端近くの表面上に相互に対応して粘着させることができる面ファスナーが設けられたことを特徴とする、安全ベスト。
【考案の詳細な説明】
【技術分野】
【０００１】
本考案は安全ベストに関し、詳細には、幼児に着せて２本のベルトを利用し幼児を椅子に固定したり、椅子の上に座った大人の体に固定したりし、幼児の重心が不安定なために転げ落ちるのを防ぐことができる、安全ベストに関する。
【背景技術】
【０００２】
一般家庭において、活動的になり始めた幼児がいる場合、大人たちはその幼児の安全を気にかける必要があり、幼児が目を覚ましたその瞬間から大人の目は随時幼児を見ていなければならず、幼児が寝ているときでさえも注意してみている必要がある。しかしながら、一般家庭の主婦にとって、さまざまな家事をこなすだけでなく、あちこちに上ったり降りたりする幼児を見ていなければならないということは本当に一時も気の休まる暇もないという状態になる。さらに、幼児を椅子の上に座らせて食べさせようとするときは、幼児がおとなしく座っていなかったり、重心が不安定であったりするために椅子の上から床の上に転げ落ちてしまい、幼児が怪我をしてしまうことが心配される。
【０００３】
このため、安全ベストを幼児に着せて、２本のベルトを利用し幼児を椅子に固定したり、椅子の上に座った大人の体に固定したりして幼児の重心が不安定であるために転げ落ちてしまうことを防ぐ安全ベストの提供が本考案の積極的に開示するものである。
【考案の開示】
【考案が解決しようとする課題】
【０００４】
幼児が椅子の上から転げ落ちやすいという問題に鑑みて、本考案の考案者はその安全設備が不完全であることに感じ入り、関連産業における長年の経験に基づきこの問題を克服すべく研究を重ね、この安全ベストを幼児に着せて、２本のベルトを利用し幼児を椅子に固定したり、椅子の上に座った大人の体に固定したりして幼児の重心が不安定であるために転げ落ちてしまうことを防ぐ、この安全ベストの開発に至ったものである。
【０００５】
本考案の主な目的は、安全ベストを幼児に着せて、２本のベルトを利用し幼児を椅子に固定したり、椅子の上に座った大人の体に固定したりして幼児の重心が不安定であるために転げ落ちてしまうことを防ぐ、安全ベストを提供することにある。
【課題を解決するための手段】
【０００６】
上述の目的を達するため、本考案は次のように実現される：本考案の安全ベストは、ベストと、このベストの両側にそれぞれ接続された２本のベルトを含み、これら２本のベルトの自由端近くの表面上に相互に対応して粘着させることができる面ファスナーが設けられ、これにより、安全ベストを幼児に着せて、２本のベルトを利用し幼児を椅子に固定したり、椅子の上に座った大人の体に固定したりして幼児の重心が不安定であるために転げ落ちてしまうことを防ぐことができる。
【考案を実施するための最良の形態】
【０００７】
考案の目的、特徴及び効果についてより理解を促すため、以下、具体的な実施例と図面に基づき、本考案について詳細に説明する。
【０００８】
図１に本考案の構造の立体図を示す。この図に示すように、この安全ベスト１は次を含む：
【０００９】
ベスト１１は、その片面上に人体に着せるための開口１１１が設けられ、この開口１１１の２つの対応する辺上に、相互に対応して粘着される小面ファスナー１１２がそれぞれ設けられる；
【００１０】
２本のベルト１２は、前記ベスト１１の両側にそれぞれ接続され、これら２本のベルト１２の自由端近くの表面上に相互に対応して粘着させることができる面ファスナー１２１が設けられる。
【００１１】
図２、図３、図４に本考案の安全ベストを幼児に着せた状態を示す立体図、最良の実施状態を示す立体図１及び２をそれぞれ示す。これらの図に示すように、この安全ベスト１の開口１１１から幼児にベストを着せることができ、且つ、この安全ベスト１を幼児の体に着せた後、開口１１１両側の小面ファスナー１１２を相互に粘着させ、安全ベスト１をしっかりと幼児の体の上に着せる（図２参照）。幼児が椅子２の上に座っているとき、２本のベルト１２を椅子の背の上に掛け回し、面ファスナー１２１で２本のベルト１２をしっかりと粘着させ、幼児を椅子２上にしっかりと固定し、幼児が椅子２上から転げ落ちるのを防ぐ（図３参照）。さらに、外出時に幼児に使用させる椅子がない場合、安全ベスト１の２本のベルト１２を大人の体の上に掛け回し、面ファスナー１２１で２本のベルト１２をしっかりと粘着させ、幼児を大人の体の上にしっかりと固定し、これにより幼児が椅子２上から転げ落ちるのを防ぐ（図４参照）と同時に、同時に大人の両手も自由に他の事に使うことができる。
【００１２】
本考案の構造設計により、安全ベストを幼児に着せて、２本のベルトを利用し幼児を椅子に固定したり、椅子の上に座った大人の体に固定したりして幼児の重心が不安定であるために転げ落ちてしまうことを防ぐことができる。
【００１３】
上述のように、本考案の安全ベストの設計は、確実にこれまでにない初めての応用であり、その構成は簡便で実用的であると共に、実用性と進歩性を兼ね備えており、合理的な実用新案である。このため、法に基づき実用新案登録を出願するものであり、当局には詳細な審査の上特許を批准していただけるよう願うものである。
【図面の簡単な説明】
【００１４】
【図１】本考案の構造を示す立体図である。
【図２】本考案の安全ベストを幼児に着せた状態の立体図である。
【図３】本考案の最良の実施状態を示す立体図１である。
【図４】本考案の最良の実施状態を示す立体図２である。
【符号の説明】
【００１５】
１  安全ベスト
２  椅子
１１  ベスト
１２  ベルト
１１１  開口
１１２  小面ファスナー
１２１  面ファスナー
【図１】
0003129300.tif 000003
【図２】
0003129300.tif 000004
【図３】
0003129300.tif 000005
【図４】
0003129300.tif 000006
(57)【要約】      （修正有）【課題】自動車を運転する中で、バックさせる時に、バックする前に、後又は、前後にバックする事を知らせる。【解決手段】自動車のバッテリーから電源を取り、スイッチと点滅リレーとバック表示ライト器具を配線し、自動車の後又は、前後にバック表示ライト器具を取り付ける。【選択図】図１
0003129226.tif 000002
【実用新案登録請求の範囲】
【請求項１】
自動車（５）を運転する中で、自動車（５）をバックしようとする時に、バックする事前に、バック表示ライト器具（１）を点滅させ、自動車（５）がバックする事を前後の人が確認出来る様にする、バック表示ライト器具（１）。
【考案の詳細な説明】
【技術分野】
【０００１】  バック表示ライト器具の本体を、自動車の後又は、前後に取り付け、自動車を運転する中で自動車をバックさせようとする時に、バックする前にバック表示ライト器具を点滅させ、自動車がバックする事を、前後の人が確認出来るバック表示ライト器具。
【背景技術】
【０００２】  従来は、自動車を運転する中で自動車をバックさせる時に、バックギヤに入れ後方のバックライトを点灯させるが、バックする事が前後の人に、事前に分らない、又、後方でしか確認でない。
【考案が解決しようとする課題】
【０００３】  本考案は、自動車を運転する中で自動車をバックさせようとする時に、バックする事前に、バック表示ライト器具を点滅させ、後又は、前後の人に知らせる事を目的とする。
【考案が解決するための手段】
【０００４】  バック表示ライト器具の本体を、自動車の後又は、前後に取り付け、自動車のバッテリーから電源を取り、自動車をバックさせようとする時に、バック表示ライト器具のスイッチを入れ、バック表示ライト器具を点滅させ、バックする前に、自動車がバックする事を前後の人に確認出来るように講じたもの。
【考案を実施するための最良の形態】
【０００５】  本考案は、前述の手段を構じたので使用に際しては、自動車を運転する中で、自動車をバックさせる時に、バックする前にスイッチを入れバック表示ライト器具を点滅させ、後又は、前後の人にバックする事を知らせる事が出来る。
【図面の簡単な説明】
【図１】  バック表示ライト器具本体を自動車に取り付けた全体図
【図２】  バック表示ライト器具を点滅させる配線図
【図３】  バック表示ライト器具
【符号の説明】
１・・・バック表示ライト器具本体
２・・・スイッチ
３・・・点滅リレー
４・・・電源
５・・・自動車
【図１】
0003129226.tif 000003
【図２】
0003129226.tif 000004
【図３】
0003129226.tif 000005
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
バックしますという、表示板の文字の裏側にライトを設置し、点滅リレーを設けて電気を流し、ライトを点滅させ、バックしますという文字を表示する構造を有するバック表示ライト器具。
【手続補正書】
【提出日】平成18年11月24日(2006.11.24)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】  バック表示ライト器具の本体を、自動車の後又は、前後に取り付け、自動車を運転する中で自動車をバックさせようとする時に、バックする前にバック表示ライト器具を点滅させ、自動車がバックする事を、前後の人が確認出来るバック表示ライト器具。
【背景技術】
【０００２】  従来は、自動車を運転する中で自動車をバックさせる時に、バックギヤに入れ後方のバックライトを点灯させるが、バックする事が前後の人に、事前に分らない、又、後方でしか確認できない。
【考案が解決しようとする課題】
【０００３】本考案は、自動車を運転する中で自動車をバックさせようとする時に、バックする事前に、バック表示ライト器具を点滅させ、後又は、前後の人に知らせる事を目的とする。
【考案が解決するための手段】
【０００４】バック表示ライト器具の本体を、自動車の後又は、前後に取り付け、自動車のバッテリーから電源を取り、自動車をバックさせようとする時に、バック表示ライト器具のスイッチを入れ、バック表示ライト器具を点滅させ、バックする前に、自動車がバックする事を前後の人に確認出来るように講じたもの。
【考案を実施するための最良の形態】
【０００５】  本考案は、前述の手段を講じたので使用に際しては、自動車を運転する中で、自動車をバックさせる時に、バックする前にスイッチを入れバック表示ライト器具を点滅させ、後又は、前後の人にバックする事を知らせる事が出来る。
【図面の簡単な説明】
【０００６】
【図１】  バック表示ライト器具本体を自動車に取り付けた全体図
【図２】  バック表示ライト器具を点滅させる配線図
【図３】  バック表示ライト器具
【図４】  バック表示ライト器具の断面図
【符号の説明】
【０００７】１・・・バック表示ライト器具
２・・・スイッチ
３・・・点滅リレー
４・・・電源
５・・・自動車
６．・・・文字表示板
７・・・ライト
【手続補正２】
【補正対象書類名】手続補正書
【補正対象項目名】手続補正４
【補正方法】変更
【補正の内容】
【手続補正４】
【補正対象書類名】図面
【補正対象項目名】全図
【補正方法】変更
【補正の内容】
【図１】
0003129226.tif 000006
【図２】
0003129226.tif 000007
【図３】
0003129226.tif 000008
【図４】
0003129226.tif 000009
(57)【要約】      （修正有）【課題】山野に自然生育する植物等を利用することにより、安価な素材にて雅趣に富んだ、高度な技術性のある工芸品を作成する。【解決手段】籠を編む素材は従来の、天然植物、又は人工的に作製した金属又は合成樹脂の線材にて、従来に全く存在しない、独特な、一見すると蜂の巣に見える技術的にも高度な籠を編みあげる。山野二自然生育する、つた、つる、かずら等の天然植物を利用して、蜂の巣状の雅趣に富んだ新規な各種の工芸品を作成する。繊維にて蜂の巣編み製品を作り出す事も容易である。【選択図】図１
0003129227.tif 000002
【実用新案登録請求の範囲】
【請求項１】
屈曲自在の線状素材を懸け綴り編むことにより蜂の巣状を形成することを特注とする、蜂の巣状編み加工品。
【請求項２】
請求項１記載の蜂の巣状編み加工品において、該編み方により平面加工品及び立体加工品を作成することを特徴とする蜂の巣状編み加工品。
【考案の詳細な説明】
【技術分野】
【０００１】  本考案は、つた、つる、かずら、のような線状の植物及び、金属線、合成樹脂線、又は竹を細く割いたもの、繊維、このよう天然素材、人工素材等にて籠及び、その他の物品を編み作るものに関するものである。
【背景技術】
【０００２】  竹を細く割いたものにて編み作った籠製品は、古い昔より現今に至るも多数作られている、又つた、つる、かずら、のような天然植物にて編み作ったものも、古い時代より現今も作られている。
又金属線、合成樹脂線、繊維等にて編み作りたるものも多数作られて居る、天然素材を利用して作りたるものは手編みであり、人工素材のものは機械編みにて生産されている。
先願として種々なるものがあるが、本考案に類似する網み方にて作られたものは、見当たらない。
【特許文献】  該当文献は見当たらない。
【考案の開示】
【考案が解決しようとする課題】
【０００３】  籠には実用の籠と、美術を目的としたものがあるが、実用を目的とした籠にても美術的な美観を有するものは商品としても有利である、そのため実用の籠にても単なる物入れの籠でなく美術的要素を具備した籠を作る。
天然の植物を素材として作られた籠は無数に存在するが、従来にない特異な網方により成る美術的に優れ、技術的にも優れた籠が現今要望されている、この要望は籠のみでなく、利用し得る種々なる物品であることは勿論である。
【課題を解決するための手段】
【０００４】  本考案は上記問題点を解決するためになされたものであって、籠を編む素材は従来の、天然植物、又は人工的に作製した金属又は合成樹脂の線材にて、従来に全く存在しない、独特な、一見すると蜂の巣に見える技術的にも高度な籠を編みあげる。
山野二自然生育する、つた、つる、かずら等の天然植物を利用して、蜂の巣状の雅趣に富んだ新規な各種の工芸品を作成する
繊維にて蜂の巣編み製品を作り出す事も容易であることは勿論である。
【考案の効果】
【０００５】  本考案によれば次の効果を奏する、本考案の蜂の巣状編みにて作成した籠は、蜂の巣に類似しており、芸術的に優れた美観がある。
素材として天然の植物を利用すれば、無料の原料にて高度な芸術品を作ることが可能である、又繊維にて蜂の巣編みをすれば、独特な新商品を作り出す事も勿論容易である。
【考案を実施するための最良の形態】
【０００６】  本考案は作るべき物品により、形態が変化するため一定した形態はなく、その物品に適合した形態に編みあげて作成されろ、使用する素材も勿論その物品に最適の素材を使用することは勿論である。
【実施例】
【０００７】  以下本考案を図面に基づき詳細に説明する、図１は本考案の蜂の巣状編み加工品の編み方図であって、１は素材である、この素材１の材質としては、色々なものが利用できるが植物としては、つた、つる、かずら等を使用する、竹を細く割いたものも使用される。
又金属線、合成樹脂線も使用される、籠でなく平面的に編み上げる場合なれば、繊維も利用できる。
蜂の巣状に編み上げるのは容易でないが、出来上がれば、蜂の巣に似た特異な美観の芸術品である、平面的なものも勿論でき、立体的な、どのような形状のものも自由に編み上げることができる、これが蜂の巣編みの特徴でもある。【０００８】  図２は本考案の蜂の巣状編み加工品の一例図であって、この図２は立体的に編み上げた場合のものである。
本考案の蜂の巣編みの特徴は容易に自由に形態の違ったものを編み上げることが可能である、籠の中に器を収納させる事も容易である、本考案は手編みであるため作業能率の点において劣るが、美術品の製法としては変化に富んだものが容易にできる利点がある。
本考案は以上の実施例になんら限定されるものでなく、本考案の要旨を逸脱しない範囲において、種々なる態様にて実施可能なることは勿論である。
【産業上の利用可能性】
【０００９】  本考案は機械化が不可能であるため、工業的な生産はできないが、優れた美的製品ができるため、芸術的工芸品として生産できる可能性の高いものである。
【図面の簡単な説明】
【００１０】  図１は本考案の蜂の巣状編み加工品の編み方図である。
図２は本考案の蜂の巣状編み加工品の一例図である。
【符号の説明】
【００１１】  １  素材
【図１】
0003129227.tif 000003
【図２】
0003129227.tif 000004
【手続補正書】
【提出日】平成18年10月9日(2006.10.9)
【手続補正１】
【補正対象書類名】明細書
【補正対象項目名】００１０
【補正方法】変更
【補正の内容】
【００１０】
【図１】は本考案の蜂の巣状編み加工品の編み方図である。
【図２】は本考案の蜂の巣状編み加工品の一例図である。
(57)【要約】【課題】  本考案は防水機能を完備した長靴形の靴カバ−本体を、靴を履いた上から被せるように履くことで、靴及びズボン等の膝下辺りまでが雨水に濡れるのを防止する。する。【解決手段】  本考案は靴カバ−本体１の履き口２に設けた空隙３に紐４を通し、その紐４を結んで靴カバ−本体１を脱げないように固定し、且つ、靴カバ−本体１の底部分５に強度を持たせて滑り止めを設けることにより、靴等が雨水に濡れるのを防止するのに役立つ。【選択図】図１
0003129269.tif 000002
【実用新案登録請求の範囲】
【請求項１】
防水機能を完備した長靴形の靴カバ−を、靴を履いた上から被せるように履いて、靴及びズボン等の膝下辺りまで雨水で濡れるのを防ぐ雨水濡れ防止靴カバ−。
【考案の詳細な説明】
【技術分野】
【０００１】  本考案は、防水機能を完備した長靴形の、靴カバ−に関するものである。
【背景技術】
【０００２】  外出先、旅行先等で雨に降られた際、防水機能が備わっていない靴を履いていると、靴が濡れて内に雨水が染み込んで困ることがある。
【考案の開示】
【考案が解決しようとする課題】
【０００３】  雨靴を持ち運ぶのは荷物が増えるので不便であり、又、労働的負担が大きい。従って、雨靴の機能を完備した靴カバーを小さく折り畳んで、バッグ内や洋服のポケット内に収納して持ち運ぶことで、前述の欠点を解決しようとするものである。
【課題を解決するための手段】
【０００４】  本考案は、防水機能を完備した靴カバ−で靴全体を被うことにより問題点を解決している。
【考案の効果】
【０００５】  上述の様に、本考案の雨水濡れ防止靴カバ−は靴が雨水に濡れるのを防ぐことは勿論、大雨等で道路が浸水した場合でも、靴の内に水が入るのを防ぐことができる。又、ズボン等の膝下辺りまで被うことができるので、ズホン等の膝下辺りまで雨水で濡れたり泥水等の跳ねで汚れるのを防ぐことに役立つ。
【考案を実施するための最良の形態】
【０００６】  靴カバ−本体は長靴の形をしており、靴を履いた上から履いて使用する。又、履き口に紐を通す空隙を設け、その空隙に通した紐を結ぶことで靴カバ−本体を脱げないように固定する。また、靴カバ−本体の底は長時間歩いても破れない様に厚くして強度を持たせ、且つ、滑り止めを設ける。
【実施例】
【０００７】  以下、添付図面に従って一実施例を説明する。１は耐久性のビニ−ル等適宣素材にて一体化形成された靴カバ−本体、２は該靴カバ−本体１の履き口で、３はこの履き口２に設けた靴カバ−本体１が脱げないように固定する紐を通す空隙、４はその紐で、５は強度を持たせて滑り止めを設けた靴カバ−本体１の底部分。
【図面の簡単な説明】
【０００８】
【図１】  本考案の雨水濡れ防止靴カバ−の一実施例を示す平面図である。
【符号の説明】
【０００９】  １  靴カバ−本体
２  履き口
３  空隙
４  紐
５  底部分
【図１】
0003129269.tif 000003
(57)【要約】【課題】    駐車場に強固で加工が簡単で、しかも色別できる標識付門灯を提供【解決手段】  金属で出来たポール取付部を有し、該ポール取付部の左右に標識部を有し、前記ポール取付部と標識部との境界に沿ってコの字状に曲げてなる標識部本体（１）と、この標識部本体を挿入し得る透明のプラスチック箱（２）、さらに上下に蓋（３）（４）を取付けて構成し、そのポール取付部に取付けられたポール（６）からなる駐車場用門灯器であって前記箱体内には照明灯（５）が設けられていることを特徴とする標識付駐車場用門灯器【選択図】図３
0003129266.tif 000002
【実用新案登録請求の範囲】
【請求項１】
金属で出来ていて中央にポール取付部を有し、該ポール取付部の左右に標識部を有し、前記ポール取付部と標識部との境界に沿ってコの字状に曲げてなる標識部本体と、この標識部本体を挿入し得る透明のプラスチック箱、さらに上下に蓋を取り付けて構成し、そのポール取付部に取り付けられたポールからなる駐車場用門灯器であって、前記箱体内には照明灯が設けられていることを特徴とする標識付駐車場用門灯器。
【考案の詳細な説明】
【技術の分野】
【０００１】  本考案は駐車場の門灯に関するものである。
【背景技術】
【０００２】  従来、駐車場や工場の門灯はプラスチックやガラスの容器に照明が入る単調であった。また、標識は看板として別にしていた。
【考案の開示】
【考案が解決しようとする課題】
【０００３】  しかしながら、従来のプラスチックやガラス製の門灯は、直ぐ破損し、又、看板も加工に手間を要した。
【課題を解決するための手段】
【０００４】  本考案は、金属で出来たポール取付部を有して、該ポール取付部の左右に標識部を有し、前記ポール取付部と標識部との境界に沿ってコの字状に曲げてなる標識部本体と、この標識部本体を挿入し得る透明のプラスチック箱、さらに上下に蓋をして、前記ポールを取付部に取り付けられたポールからなる駐車場門灯器であって、前記箱体内には照明灯が設けられていることを特徴とする標識付駐車場用門灯器。
【考案の効果】
【０００５】  標識した金属板を屈曲しただけで容易に製造できる。また、金属製で強度もあり、プラスチック部には色別と標識印刷を貼る。コンパクトで簡単に駐車場に取り付けられる。
夜間における車の出入の安全に資するほか、色別で自分の駐車場が明確になる。
【考案を実施するための最良の形態】
【０００６】  本考案は金属で出来たポール取付部を有して、該ポール取付部の左右に標識部を有し、前記ポール取付部と標識部との境界に沿ってコの字状に曲げてなる標識部本体（１）と、この標識部本体を挿入し得る透明のプラスチック箱（２）、さらに上下に蓋（３）（４）を取付けて構成し、そのポール取付部に取付けられたポール（６）からなる駐車場用門灯器であって前記箱体内には照明灯（５）が設けられることを特徴とする標識付駐車場用門灯器
【図面の簡単な説明】
【０００７】
【図１】  本考案の分解図である。
【図２】  本考案の組立図である。
【図３】  本考案の斜視図である。
【符号の説明】
【０００８】  １    標識した金属板をコの字状に曲げた本体
２    透明なプラスチック箱
３    上蓋
４    下蓋
５    照明器具
６    ポール
【図１】
0003129266.tif 000003
【図２】
0003129266.tif 000004
【図３】
0003129266.tif 000005
(57)【要約】【課題】通夜における守刀である小刀の柄として利用できる帯留を提供する。【解決手段】本考案の帯留は、帯留の本体に小刀の刀身を抜き差しするための挿抜孔を設けたことを特徴とする。更に、挿抜孔に挿入された刀身を安定させるとともにはずしやすくするために板発条を挿抜孔内部に設置したことを特徴とする。また、更に、板発条が帯締を帯通し具に押し付けることにより本体を安定させるように、帯締を通すための帯通し具が設置された側に切り欠きを設けたことを特徴とする。【選択図】図５
0003129265.tif 000002
【実用新案登録請求の範囲】
【請求項１】
帯締の装飾具として用いられる帯留であって、本体に小刀の刀身を抜き差しするための挿抜孔を設けたことを特徴とする帯留。
【請求項２】
挿抜孔に挿入された刀身を安定させるとともにはずしやすくするために板発条を挿抜孔内部に設置したことを特徴とする請求項１に記載の帯留。
【請求項３】
板発条が帯締を帯通し具に押し付けることにより本体を安定させるように、帯締を通すための帯通し具が設置された側に切り欠きを設けたことを特徴とする請求項２に記載の帯留。
【考案の詳細な説明】
【技術分野】
【０００１】本考案は、帯締に付着される装飾具である帯留に関する。
【背景技術】
【０００２】帯留においては、従来、装飾具である帯留本体を別の装飾具として用いたり、帯留ではない装飾具を帯留として用いるための工夫がなされてきた。実登３１１９４２１は帯留の装飾部分を取り替えられる構造を示す。これとは別に、帯締がずれない工夫として、実登３１２１６５１は帯締を通す部分に突起を設けている。
【考案の開示】
【考案が解決しようとする課題】
【０００３】上述の通り、帯留は装飾品として考えられているが、持ち主が死亡した際には形見として取り扱われることもある。持ち主の死亡に関連して、通夜においては遺体の胸の上に守刀を置く風習が現存するが、守刀とする刃物の選定には気を遣うものである。そこで、帯留が柄となる小刀があれば、葬儀の前に故人を安置する通夜の場に適した刃物であると言える。
【課題を解決するための手段】
【０００４】本考案の帯留は、帯留の本体に小刀の刀身を抜き差しするための挿抜孔を設けたことを特徴とする。更に、挿抜孔に挿入された刀身を安定させるとともにはずしやすくするために板発条を挿抜孔内部に設置したことを特徴とする。また、更に、板発条が帯締を帯通し具に押し付けることにより本体を安定させるように、帯締を通すための帯通し具が設置された側に切り欠きを設けたことを特徴とする。
【考案の効果】
【０００５】本考案によれば、帯留を、従来考えられていた装身具としてのみではなく小刀の柄として利用することができ、帯留と刀身を組み合わせた新しい装飾具を構成することが可能となる。挿抜孔に板発条を設置することによる更なる効果として、柄として用いた場合に刀身を安定させると共に、帯留として用いた場合にも帯締を安定させることが可能となる。
【実施例】
【０００６】本考案の実施例を図面に従って説明する。図１は従来の帯留の構造を示す。従来の帯留は多くの場合装飾具を施される本体１００および帯締を通すための帯通し具１０２、１０４からなる。【０００７】図２は、本考案による帯留であり、刀身を抜き差しするための挿抜孔１０６が設けられる。上記挿抜孔１０６は、本体１００を貫通しないように、あるいは、貫通するように設けることも可能である。また、上記挿抜孔１０６の配置は、該挿抜孔１０６が本体１００を貫通するかしないか、本体１００の形状および図案、ならびに刀身との調和の観点から調整されるものである。本実施例では本体１００に上記挿抜孔１０６とは別個の帯通し具１０２、１０４が付帯されているが、上記挿抜孔１０６が帯通しのための孔を兼ねる構造も可能である。【０００８】図３は、刀身を抜き差ししやすくし、かつ、安定させるための板発条１０８が挿抜孔１０６の中に設置された様子である。刀身１１０が挿抜孔１０６に挿入された際に板発条１０８が刀身１１０を押さえている様子を図４に示す。【０００９】図５は、帯留の本体１００の帯通し具１０２、１０４の側に切り欠き１１２を施し、板発条１０８が帯通し具１０２、１０４の側に露出している様子を示す。図６は、上記の場合における挿抜孔１０６の中の板発条１０８の配置を示す。板発条１０８は切り欠き１１２から帯通し具１０２、１０４の方向に圧力を発揮するように設置される。図７は、板発条１０８が、帯通し具１０２、１０４に通された帯締１１４を帯通し具１０２、１０４に押し付け、本体１００がずれることなく安定する様子を示す。該挿抜孔１０６が該本体１００を貫通し帯通しのための孔を兼ねる場合には、該板発条１０８は帯締１１４を該挿抜孔１０６内部に押し付ける作用をなす。
【図面の簡単な説明】
【００１０】
【図１】従来の帯留の構造を示す図
【図２】本考案による挿抜孔１０６を有する帯留の構造を示す図
【図３】挿抜孔１０６に板発条１０８が設置された様子を示す図
【図４】板発条１０８が設置された挿抜孔１０６に刀身１１０が挿入された様子を示す図
【図５】本考案による切り欠き１１２が施された帯留の構造を示す図
【図６】切り欠き１１２が施された本体１００の挿抜孔１０６における板発条１０８の様子を示す図
【図７】切り欠き１１２を設けることにより帯留本体１１０が帯締１１４に対して安定する様子を示す図
【符号の説明】
【００１１】１００  本体
１０２  帯通し具
１０４  帯通し具
１０６  挿抜孔
１０８  板発条
１１０  刀身
１１２  切り欠き
１１４  帯締
【図１】
0003129265.tif 000003
【図２】
0003129265.tif 000004
【図３】
0003129265.tif 000005
【図４】
0003129265.tif 000006
【図５】
0003129265.tif 000007
【図６】
0003129265.tif 000008
【図７】
0003129265.tif 000009
(57)【要約】【課題】金網塀に簡単に標識板を装着可能で、落脱の心配が無い標識板取付器具【解決手段】標識板（１）に板状の本体部（２ａ）と該本体部の上部に有する屈曲可能な舌片（２ｂ）とを有する標識板取付器具であって、本体部分に回転可能な取付部（３）と前記舌片（２ａ）の先端部を挿入し得る孔（２ｃ）を設けたことを特徴とする標識板取付器具。【選択図】図４
0003129268.tif 000002
【実用新案登録請求の範囲】
【請求項１】
標識板に板状の本体部と、該本体部の上部に有する屈曲可能な舌片とを有する標識板取付器具であって、本体部分に回転可能な取付部と前記舌片の先端部を挿入し得る孔を設けたことを特徴とする標識板取付器具。
【考案の詳細な説明】
【技術の分野】
【０００１】  本考案はプラスチック又は金属製の標識板の取付器具に関する。
【背景技術】
【０００２】  従来、標識板は金網塀等には針金等で絞めるのが、古来より知られている。
【考案の開示】
【考案が解決しようとする課題】
【０００３】  しかしながら、針金等で絞める従来の取付は、いちいち針金を切断しなければならない上に、絞め付けが面倒であった。
【課題を解決するための手段】
【０００４】  本考案は、標識板に板状の本体部と、該本体部の上部に有する屈曲可能な舌片とを有する標識板取付器具であって、前記本体部には回転可能な取付部と前記舌片の先端部を挿入し得る孔を設けたことを特徴とする標識板取付器具。
【考案の効果】
【０００５】  本考案に係る標識板の取付器具は折り曲げ差し込むのみで簡単に金網塀等に装着可能で、落脱の心配が無い。
また、加工の軽量化と取付の容易化を実現し、これにより上記の課題を解決するものである。
【考案を実施するための最良の形態】
【０００６】  本考案は、プラスチック又は金属製の標識板（１）に板状の本体部（２ａ）と該本体部の上部に有する屈曲可能な舌片（２ｂ）とを有する標識板取付器具であって、前記本体部（２ａ）には回転可能な取付部（３）と前記舌片（２ａ）の先端部を挿入し得る孔（２ｃ）を設けたことを特徴とする標識板取付器具。
【図面の簡単な説明】
【０００７】
【図１】  本考案の分解図である。
【図２】  本考案の組立図である。
【図３】  本考案の同装着状態の説明図である。
【図４】  本考案の同装着状態の斜視図である。
【符号の説明】
【０００８】  １        標識板
２        取付器具
２ａ      取付器具の本体
２ｂ      取付器具の舌片
２ｃ      取付器具の孔
３        取付部
４        金網
【図１】
0003129268.tif 000003
【図２】
0003129268.tif 000004
【図３】
0003129268.tif 000005
【図４】
0003129268.tif 000006